(57)【要約】【課題】マルチキャリア伝送におけるＦａｌｓｅ  Ａｌａｒｍの確率を低減することにより、他システムへの干渉を低減し、他システムとの共存を実現する。【解決手段】本発明に係る移動通信方法は、移動局ＵＥが、無線基地局ｅＮＢに対して複数のキャリアを用いて上りデータを送信する移動通信方法であって、移動局ＵＥに対して、所定のタイムフレームにおいて複数のキャリアを用いた上りデータの送信の有無を通知する情報要素を含む複数の下りリンク制御信号を用いて、上りデータの送信を指示する工程Ａと、受信した複数の下りリンク制御信号に含まれる情報要素に基づいて、複数のキャリアを用いた上りデータの送信を行うか否かについて決定する工程Ｂとを有する。【選択図】図３
2011097544.tif 000002
【特許請求の範囲】
【請求項１】
移動局が、無線基地局に対して複数のキャリアを用いて上りデータを送信する移動通信方法であって、
前記移動局に対して、所定のタイムフレームにおいて複数のキャリアを用いた上りデータの送信の有無を通知する情報要素を含む複数の下りリンク制御信号を用いて、前記上りデータの送信を指示する工程Ａと、
受信した前記複数の下りリンク制御信号に含まれる前記情報要素に基づいて、前記複数のキャリアを用いた前記上りデータの送信を行うか否かについて決定する工程Ｂとを有することを特徴とする移動通信方法。
【請求項２】
前記工程Ｂにおいて、前記複数の下りリンク制御信号に含まれる前記情報要素が、前記複数のキャリアを用いた上りデータの送信が存在することを示す場合にのみ、該複数の下りリンク制御信号に基づいて、前記複数のキャリアを用いた前記上りデータの送信を行うことを決定することを特徴とする請求項１に記載の移動通信方法。
【請求項３】
前記工程Ｂにおいて、前記複数の下りリンク制御信号の１つに含まれる前記情報要素が、前記複数のキャリアを用いた上りデータの送信が存在しないことを示す場合に、該複数のキャリアを用いた上りデータの送信が存在しないことを示す該情報要素を含む該下りリンク制御信号に基づいて、前記上りデータの送信を行うことを決定することを特徴とする請求項１に記載の移動通信方法。
【請求項４】
前記工程Ｂにおいて、前記複数の下りリンク制御信号の少なくとも１つに含まれる前記情報要素が、前記複数のキャリアを用いた上りデータの送信が存在しないことを示す場合に、該複数の下りリンク制御信号の全てに関して、前記上りデータの送信を行わないことを決定することを特徴とする請求項１に記載の移動通信方法。
【請求項５】
前記工程Ｂにおいて、前記複数の下りリンク制御信号の２つ以上に含まれる前記情報要素が、前記複数のキャリアを用いた上りデータの送信が存在しないことを示す場合に、該複数の下りリンク制御信号の全てに関して、前記上りデータの送信を行わないことを決定することを特徴とする請求項１に記載の移動通信方法。
【請求項６】
無線基地局に対して複数のキャリアを用いて上りデータを送信するように構成されている移動局であって、
前記無線基地局から、所定のタイムフレームにおいて複数のキャリアを用いた上りデータの送信の有無を通知する情報要素を含む複数の下りリンク制御信号を受信するように構成されている制御信号受信部と、
受信した前記複数の下りリンク制御信号に含まれる前記情報要素に基づいて、前記複数のキャリアを用いた前記上りデータの送信の可否を決定するように構成されている送信部とを具備することを特徴とする移動局。
【請求項７】
前記複数の下りリンク制御信号に含まれる前記情報要素が、前記複数のキャリアを用いた上りデータの送信が存在することを示す場合にのみ、前記送信部は、該複数の下りリンク制御信号に基づいて、前記複数のキャリアを用いた前記上りデータの送信を行うことを決定するように構成されていることを特徴とする請求項６に記載の移動局。
【請求項８】
前記複数の下りリンク制御信号の１つに含まれる前記情報要素が、前記複数のキャリアを用いた上りデータの送信が存在しないことを示す場合に、前記送信部は、該複数のキャリアを用いた上りデータの送信が存在しないことを示す該情報要素を含む該下りリンク制御信号に基づいて、前記上りデータの送信を行うことを決定するように構成されていることを特徴とする請求項６に記載の移動局。
【請求項９】
前記複数の下りリンク制御信号の少なくとも１つに含まれる前記情報要素が、前記複数のキャリアを用いた上りデータの送信が存在しないことを示す場合に、前記送信部は、該複数の下りリンク制御信号の全てに関して、前記上りデータの送信を行わないことを決定するように構成されていることを特徴とする請求項６に記載の移動局。
【請求項１０】
前記複数の下りリンク制御信号の２つ以上に含まれる前記情報要素が、前記複数のキャリアを用いた上りデータの送信が存在しないことを示す場合に、前記送信部は、該複数の下りリンク制御信号の全てに関して、前記上りデータの送信を行わないことを決定するように構成されていることを特徴とする請求項６に記載の移動局。
【請求項１１】
移動局から、複数のキャリアを用いて上りデータを受信するように構成されている無線基地局であって、
前記移動局に対して、所定のタイムフレームにおいて複数のキャリアを用いた上りデータの送信の有無を通知する情報要素を含み、該複数のキャリアを用いた該上りデータの送信を指示する複数の下りリンク制御信号を送信するように構成されている制御信号送信部と、
前記移動局によって前記複数の下りリンク制御信号に基づいて前記複数のキャリアを用いて送信された前記上りデータを受信するように構成されている受信部とを具備することを特徴とする無線基地局。
【請求項１２】
前記制御信号送信部は、
前記移動局に対して、前記複数のキャリアを用いた上りデータの送信を指示する場合に、前記情報要素が、前記複数のキャリアを用いた上りデータの送信が存在することを示すように設定し、
前記移動局に対して、１つのキャリアを用いた上りデータの送信を指示する場合に、前記情報要素が、前記複数のキャリアを用いた上りデータの送信が存在しないことを示すように設定することを特徴とする請求項１１に記載の無線基地局。
【請求項１３】
無線基地局が、移動局に対して複数のキャリアを用いて下りデータを送信する移動通信方法であって、
前記移動局に対して、所定のタイムフレームにおいて複数のキャリアを用いた下りデータの送信の有無を通知する情報要素を含む複数の下りリンク制御信号を用いて、前記下りデータの受信を指示する工程Ａと、
受信した前記複数の下りリンク制御信号に含まれる前記情報要素に基づいて、前記複数のキャリアを用いた前記下りデータの受信を行うか否かについて決定する工程Ｂとを有することを特徴とする移動通信方法。
【請求項１４】
前記工程Ｂにおいて、前記複数の下りリンク制御信号に含まれる前記情報要素が、前記複数のキャリアを用いた下りデータの送信が存在することを示す場合にのみ、該複数の下りリンク制御信号に基づいて、前記複数のキャリアを用いた前記下りデータの受信を行うことを決定することを特徴とする請求項１３に記載の移動通信方法。
【請求項１５】
前記工程Ｂにおいて、前記複数の下りリンク制御信号の１つに含まれる前記情報要素が、前記複数のキャリアを用いた下りデータの送信が存在しないことを示す場合に、該複数のキャリアを用いた下りデータの送信が存在しないことを示す該情報要素を含む該下りリンク制御信号に基づいて、前記下りデータの受信を行うことを決定することを特徴とする請求項１３に記載の移動通信方法。
【請求項１６】
前記工程Ｂにおいて、前記複数の下りリンク制御信号の少なくとも１つに含まれる前記情報要素が、前記複数のキャリアを用いた下りデータの送信が存在しないことを示す場合に、該複数の下りリンク制御信号の全てに関して、前記下りデータの受信を行わないことを決定することを特徴とする請求項１３に記載の移動通信方法。
【請求項１７】
前記工程Ｂにおいて、前記複数の下りリンク制御信号の２つ以上に含まれる前記情報要素が、前記複数のキャリアを用いた下りデータの送信が存在しないことを示す場合に、該複数の下りリンク制御信号の全てに関して、前記下りデータの受信を行わないことを決定することを特徴とする請求項１３に記載の移動通信方法。
【請求項１８】
無線基地局から、複数のキャリアを用いて下りデータを受信するように構成されている移動局であって、
前記無線基地局から、所定のタイムフレームにおいて複数のキャリアを用いた下りデータの送信の有無を通知する情報要素を含む複数の下りリンク制御信号を受信するように構成されている制御信号受信部と、
受信した前記複数の下りリンク制御信号に含まれる前記情報要素に基づいて、前記複数のキャリアを用いた前記下りデータの受信の可否を決定するように構成されている受信部とを具備することを特徴とする移動局。
【請求項１９】
前記複数の下りリンク制御信号に含まれる前記情報要素が、前記複数のキャリアを用いた下りデータの送信が存在することを示す場合にのみ、前記受信部は、該複数の下りリンク制御信号に基づいて、前記複数のキャリアを用いた前記下りデータの受信を行うことを決定するように構成されていることを特徴とする請求項１８に記載の移動局。
【請求項２０】
前記複数の下りリンク制御信号の１つに含まれる前記情報要素が、前記複数のキャリアを用いた下りデータの送信が存在しないことを示す場合に、前記受信部は、該複数のキャリアを用いた下りデータの送信が存在しないことを示す該情報要素を含む該下りリンク制御信号に基づいて、前記下りデータの受信を行うことを決定するように構成されていることを特徴とする請求項１８に記載の移動局。
【請求項２１】
前記複数の下りリンク制御信号の少なくとも１つに含まれる前記情報要素が、前記複数のキャリアを用いた下りデータの送信が存在しないことを示す場合に、前記受信部は、該複数の下りリンク制御信号の全てに関して、前記下りデータの受信を行わないことを決定するように構成されていることを特徴とする請求項１８に記載の移動局。
【請求項２２】
前記複数の下りリンク制御信号の２つ以上に含まれる前記情報要素が、前記複数のキャリアを用いた下りデータの送信が存在しないことを示す場合に、前記受信部は、該複数の下りリンク制御信号の全てに関して、前記下りデータの受信を行わないことを決定するように構成されていることを特徴とする請求項１８に記載の移動局。
【請求項２３】
移動局に対して、複数のキャリアを用いて下りデータを送信するように構成されている無線基地局であって、
前記移動局に対して、所定のタイムフレームにおいて複数のキャリアを用いた下りデータの送信の有無を通知する情報要素を含み、該複数のキャリアを用いた該下りデータの受信を指示する複数の下りリンク制御信号を送信するように構成されている制御信号送信部と、
前記移動局に対して、前記複数の下りリンク制御信号によって指定した前記複数のキャリアを用いて前記下りデータを送信するように構成されている送信部とを具備することを特徴とする無線基地局。
【請求項２４】
前記制御信号送信部は、
前記移動局に対して、前記複数のキャリアを用いた下りデータの送信を通知する場合に、前記情報要素が、前記複数のキャリアを用いた下りデータの送信が存在することを示すように設定し、
前記移動局に対して、前記複数のキャリアの内の１つのキャリアを用いた下りデータの送信を通知する場合に、前記情報要素が、前記複数のキャリアを用いた下りデータの送信が存在しないことを示すように設定することを特徴とする請求項２３に記載の無線基地局。
【発明の詳細な説明】
【技術分野】
【０００１】
本発明は、移動通信の技術分野に関連し、特に、次世代移動通信技術を用いる移動通信システムにおける移動通信方法、移動局及び無線基地局に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が進められている。
【０００３】
ＬＴＥ方式での無線アクセス方式として、下りリンクについては直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が規定され、上りリンクについてはシングルキャリア周波数分割多重接続（ＳＣ-ＦＤＭＡ：Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が規定されている（例えば、非特許文献１参照）。
【０００４】
ＯＦＤＭＡ方式は、周波数帯域を複数の狭い周波数帯域（サブキャリア）に分割し、各サブキャリアにデータを載せて伝送を行うマルチキャリア伝送方式である。ＯＦＤＭＡ方式によれば、サブキャリアを周波数軸上に直交させながら密に並べることで高速伝送を実現し、周波数の利用効率を上げることが期待できる。
【０００５】
ＳＣ-ＦＤＭＡ方式は、周波数帯域を端末毎に分割し、複数の移動局ＵＥ（ユーザ装置）間で異なる周波数帯域を用いて伝送するシングルキャリア伝送方式である。ＳＣ-ＦＤＭＡ方式によれば、移動局ＵＥ間の干渉を簡易且つ効果的に低減することができることに加えて送信電力の変動を小さくできるので、ＳＣ-ＦＤＭＡ方式は、移動局ＵＥの低消費電力化及びカバレッジの拡大等の観点から好ましい。
【０００６】
ＬＴＥ方式は、上りリンク及び下りリンク共に、１つ乃至２つ以上の物理チャネルを複数の移動局ＵＥで共有して通信を行うシステムである。
【０００７】
複数の移動局ＵＥで共有されるチャネルは、一般に「共有チャネル」と呼ばれ、ＬＴＥ方式においては、上りリンクにおいては「物理上りリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）」であり、下りリンクにおいては「物理下りリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）」である。
【０００８】
また、かかる共有チャネルは、トランスポートチャネルとしては、上りリンクにおいては「上りリンク共有チャネル（ＵＬ-ＳＣＨ：Ｕｐｌｉｎｋ  Ｓｈａｒｅｄ  Ｃｈａｎｎｅｌ）」であり、下りリンクにおいては「下りリンク共有チャネル（ＤＬ-ＳＣＨ：Ｄｏｗｎｌｉｎｋ  Ｓｈａｒｅｄ  Ｃｈａｎｎｅｌ）」である。
【０００９】
そして、上述したような共有チャネルを用いた通信システムにおいては、サブフレーム（Ｓｕｂ-ｆｒａｍｅ）（ＬＴＥ方式では、１ｍｓ）毎に、どの移動局ＵＥに対して共有チャネルを割り当てるかを選択し、選択された移動局ＵＥに対して、共有チャネルを割り当てることをシグナリングする必要がある。
【００１０】
このシグナリングのために用いられる制御チャネルは、ＬＴＥ方式では、「物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）」又は「下りリンクＬ１/Ｌ２制御チャネル（ＤＬ  Ｌ１/Ｌ２  Ｃｏｎｔｒｏｌ  Ｃｈａｎｎｅｌ：Ｄｏｗｎｌｉｎｋ  Ｌ１/Ｌ２  Ｃｏｎｔｒｏｌ  Ｃｈａｎｎｅｌ）」と呼ばれる。
【００１１】
なお、上述した、サブフレーム毎に、どの移動局ＵＥに対して共有チャネルを割り当てるかを選択する処理のことを、一般に「スケジューリング」と呼ぶ。また、上述した「共有チャネルを割り当てる」という表現は、「共有チャネルのための無線リソースを割り当てる」と表現されてもよい。
【００１２】
物理下りリンク制御チャネルの情報には、例えば、「下りリンクスケジューリング情報（Ｄｏｗｎｌｉｎｋ  Ｓｃｈｅｄｕｌｉｎｇ  Ｉｎｆｏｒｍａｔｉｏｎ）」や、「上りリンクスケジューリンググラント（Ｕｐｌｉｎｋ  Ｓｃｈｅｄｕｌｉｎｇ  Ｇｒａｎｔ）」等が含まれる。
【００１３】
「Ｄｏｗｎｌｉｎｋ  Ｓｃｈｅｄｕｌｉｎｇ  Ｉｎｆｏｒｍａｔｉｏｎ」には、例えば、下りリンクの共有チャネルに関する、下りリンクのリソースブロック（Ｒｅｓｏｕｒｃｅ  Ｂｌｏｃｋ）の割り当て情報、ＵＥ-ＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。
【００１４】
また、「Ｕｐｌｉｎｋ  Ｓｃｈｅｄｕｌｉｎｇ  Ｇｒａｎｔ」には、例えば、上りリンクの共有チャネルに関する、上りリンクのリソースブロック（Ｒｅｓｏｕｒｃｅ  Ｂｌｏｃｋ）の割り当て情報、ＵＥ-ＩＤ、データサイズ、変調方式、上りリンクの送信電力情報、Ｕｐｌｉｎｋ  ＭＩＭＯにおけるデモジュレーション  レファレンス  シグナル（Ｄｅｍｏｄｕｌａｔｉｏｎ  Ｒｅｆｅｒｅｎｃｅ  Ｓｉｇｎａｌ）の情報等が含まれる。
【００１５】
なお、上述した「Ｄｏｗｎｌｉｎｋ  Ｓｃｈｅｄｕｌｉｎｇ  Ｉｎｆｏｒａｍｔｉｏｎ」や「Ｕｐｌｉｎｋ  Ｓｃｈｅｄｕｌｉｎｇ  Ｇｒａｎｔ」は、まとめて、「下りリンク制御情報（ＤＣＩ：  Ｄｏｗｎｌｉｎｋ  Ｃｏｎｔｒｏｌ  Ｉｎｆｏｒｍａｔｉｏｎ）」と呼ばれてもよい。
【００１６】
なお、移動局ＵＥは、上述の上りリンクスケジューリンググラントや下りリンクスケジューリングが自局宛てに送信されたかどうかの識別を、かかる上りリンクスケジューリンググラントや下りリンクスケジューリング内の「ＵＥ-ＩＤ（ＲＮＴＩ）」を用いて行う。
【００１７】
より具体的には、かかる上りリンクスケジューリンググラントや下りリンクスケジューリングに含まれるＣＲＣビットは、送信先の移動局ＵＥのＲＮＴＩによりマスキングされている。
【００１８】
移動局ＵＥは、ＣＲＣビットを用いて、ＣＲＣチェックを行い、ＣＲＣチェックの結果がＯＫである場合に、自局宛てに上りリンクスケジューリンググラントや下りリンクスケジューリングが送信されたと判断し、ＣＲＣチェックの結果がＮＧである場合に、自局宛てに上りリンクスケジューリンググラントや下りリンクスケジューリングが送信されなかったと判断する。
【００１９】
なお、ＣＲＣビットとは、送信された信号が誤って復号されたか、正しく復号されたかを判定するためのビットである。
【００２０】
したがって、ある移動局ＵＥが、他の移動局ＵＥのＲＮＴＩでＣＲＣビットがマスキングされた信号を受信した場合、実際には、誤りなく信号を受信できたとしても、そのＣＲＣチェックの結果はＮＧとなる。
【００２１】
また、かかるＣＲＣビット及びＲＮＴＩのビット数は、例えば、１６ビットである。
【００２２】
なお、一般に、移動局ＵＥは、１サブフレームにおいて、例えば、４０個の上りリンクスケジューリンググラントや下りリンクスケジューリングの復号を試みる。この場合、例えば、約４０個の上りリンクスケジューリンググラント又は下りリンクスケジューリングの中には、実際に自局宛てに送信された信号や、他の移動局ＵＥ宛てに送信された信号や、どのような信号も送信されず雑音のみが含まれる信号等が含まれる。
【００２３】
ここで、かかるＣＲＣビット及びＲＮＴＩのビット数は、１６ビットであるため、１/２１６の確率でＦａｌｓｅ  Ａｌａｒｍが発生する。
【００２４】
したがって、４０個の上りリンクスケジューリンググラント又は下りリンクスケジューリング情報の復号を行う場合には、Ｆａｌｓｅ  Ａｌａｒｍが発生する確率は、１/２１６×４０となる。
【００２５】
ここで、Ｆａｌｓｅ  Ａｌａｒｍとは、無線基地局ｅＮＢが、移動局ＵＥに対して、上りリンクスケジューリンググラントや下りリンクスケジューリング情報を送信していないのにも係らず、かかる移動局ＵＥは、自分宛てに、上りリンクスケジューリンググラントや下りリンクスケジューリング情報が送信されたと判定する事象を指す。
【００２６】
また、ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献２にまとめられている。
【００２７】
ＬＴＥ-ａｄｖａｎｃｅｄ方式では、その要求条件として、「Ｃａｒｒｉｅｒ  ａｇｇａｒｅｇａｔｉｏｎ」を行うことが合意されている。ここで、「Ｃａｒｒｉｅｒ  ａｇｇｒｅｇａｔｉｏｎ」とは、複数のキャリアを用いて同時に通信を行うことを意味する。
【００２８】
例えば、上りリンクにおいて「Ｃａｒｒｉｅｒ  ａｇｇｒｅｇａｔｉｏｎ」が行われる場合、移動局ＵＥは、「Ｃｏｍｐｏｎｅｎｔ  Ｃａｒｒｉｅｒ」毎に異なるキャリアを用いて送信を行うため、複数のキャリアを用いて上りリンクの信号を送信する。また、１つの「Ｃｏｍｐｏｎｅｎｔ  Ｃａｒｒｉｅｒ」内でも、マルチキャリア送信を行うことが検討されている。
【００２９】
ところで、電波を用いたシステムである携帯電話システムや電波天文システムや衛星通信システムや航空・海上レーダーシステムや地球資源探査システムや無線ＬＡＮシステムは、一般的に、お互いの干渉を防ぐために、利用する周波数帯域を分離する。また、例えば、携帯電話システム用に割り当てられた周波数帯域の中に、さらに複数のシステム用に割り当てられた周波数帯域が存在し、各システムの周波数帯域は分離されている。
【００３０】
すなわち、電波を用いたシステムは、その利用する周波数帯域を分離することにより、システム間の干渉を防いでいる。
【００３１】
しかしながら、電波を放射する送信機は、自システムの周波数帯域の外側の帯域に不要波（以下、隣接チャネル干渉と呼ぶ）を放射してしまうため、周波数帯域が分離されていたとしても、隣接する複数のシステムは、お互いに干渉を与え合うことになる。よって、上記不要波の電力レベルが大きい場合には、隣接するシステムに多大な悪影響を与えることになる。
【００３２】
このような隣接チャネル干渉による、隣接するシステムへの悪影響を防ぐために、各システムにおいて、上述の隣接チャネル干渉やスプリアス放射に関する特性に関するパフォーマンスが規定されている。例えば、ＬＴＥ方式においては、移動局ＵＥの隣接チャネル干渉やスプリアス放射等に関する規定として、非特許文献３の「６.６  Ｏｕｔｐｕｔ  ＲＦ  ｓｐｅｃｔｒｕｍ  ｅｍｉｓｓｉｏｎｓ」が存在する。
【先行技術文献】
【非特許文献】
【００３３】
【非特許文献１】３ＧＰＰ  ＴＳ３６.２１１（Ｖ８.３.０）、「Ｐｈｙｓｉｃａｌ  Ｃｈａｎｎｅｌｓ  ａｎｄ  Ｍｏｄｕｌａｔｉｏｎ」、２００８年５月
【非特許文献２】３ＧＰＰ  ＴＳ３６.９１３（Ｖ８.０.１）、「Ｒｅｑｕｉｒｅｍｅｎｔ  ｆｏｒ  ｆｕｒｔｈｅｒ  ａｄｖａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）（ＬＴＥ-Ａｄｖａｎｃｅｄ）」
【非特許文献３】３ＧＰＰ  ＴＳ３６.１０１（Ｖ８.２.０）、「Ｅ-ＵＴＲＡ  ＵＥ  ｒａｄｉｏ  ｔｒａｎｓｍｉｓｓｉｏｎ  ａｎｄ  ｒｅｃｅｐｔｉｏｎ」
【発明の概要】
【発明が解決しようとする課題】
【００３４】
しかしながら、上述した従来の移動通信システムには、以下のような問題点がある。
【００３５】
上述したように、ＬＴＥ-Ａｄｖａｎｃｅｄ方式では、「Ｃａｒｒｉｅｒ  ａｇｇｒｅｇａｔｉｏｎ（キャリアアグリゲーション）」が行われる。ところが、上りリンクにおいて、複数のキャリアを用いて上りリンクの信号を送信した場合、「Ｉｎｔｅｒｍｏｄｕｌａｔｉｏｎ  ｐｒｏｄｕｃｔｓ（以下、「ＩＭ  ｐｒｏｄｕｃｔｓ」と呼ぶ）」が発生し、この「ＩＭ  ｐｒｏｄｕｃｔｓ」が、他システムへの干渉となる。
【００３６】
以下に、図１４及び図１５を参照して、「ＩＭ  ｐｒｏｄｕｃｔｓ」が他システムへの干渉を引き起こす例について説明する。
【００３７】
図１４及び図１５において、１つの送信キャリアの帯域幅を「１８０ｋＨｚ」と仮定する。また、自システムのシステム帯域を「１９２０ＭＨｚ」〜「１９８０ＭＨｚ」と仮定し、被干渉システム（他システム）のシステム帯域を「１８８０ＭＨｚ」〜「１８９０ＭＨｚ」と仮定する。
【００３８】
図１４の場合には、自システムにおいて、シングルキャリア伝送が行われるため、「ＩＭ  ｐｒｏｄｕｃｔｓ」は発生しない。
【００３９】
また、一般に、隣接チャネルへの干渉は、送信帯域幅の２.５倍の領域に発生すると言われており、送信帯域幅が「１８０ｋＨｚ」の場合には、送信帯域の両脇の３６０ｋＨｚの部分に干渉が発生する。
【００４０】
これは、送信信号の周波数である「１９３０ＭＨｚ」が、被干渉システム（他システム）のシステム帯域である「１８８０ＭＨｚ」〜「１８９０ＭＨｚ」から大きく離れていることを考慮すると、干渉という観点から全く問題にならないことを意味する。
【００４１】
一方、図１５の場合、自システムにおいて、マルチキャリア伝送が行われるため、第１の送信キャリアと第２の送信キャリアから生じる「ＩＭ  ｐｒｏｄｕｃｔｓ」が、「１８９０ＭＨｚ」の周波数のところに発生する。
【００４２】
これは、システム帯域が「１８８０ＭＨｚ」〜「１８９０ＭＨｚ」である被干渉システム（他システム）にとっては、許容し難い干渉となる。
【００４３】
ここで、一般に、無線基地局ｅＮＢは、上述したように、上りスケジューリンググラントにより、移動局ＵＥに対して、上りリンクの送信を指定するため、上述したマルチキャリア送信を行う場合にも、その送信タイミングや送信周波数等を制御することが可能である。
【００４４】
また、無線基地局ｅＮＢは、上りリンクの送信電力に関しても、完全に制御することは困難であるが、どの程度の送信電力で上りリンクの信号が送信されるかを把握することは可能である。
【００４５】
よって、無線基地局ｅＮＢは、上述したＩＭ  ｐｒｏｄｕｃｔｓの発生を、予測することが可能であり、結果として、そのＩＭ  ｐｒｏｄｕｃｔｓによる干渉を回避することが可能である。
【００４６】
しかしながら、上述した上りスケジューリンググラントのＦａｌｓｅ  Ａｌａｒｍが発生した場合、移動局ＵＥは、無線基地局ｅＮＢの制御とは関係なしに、上りリンクの信号を送信するため、上述したＩＭ  ｐｒｏｄｕｃｔｓの発生を予測できず、結果として、そのＩＭ  ｐｒｏｄｕｃｔｓによる干渉を回避することができない。
【００４７】
そこで、本発明は、上述の課題に鑑みてなされたものであり、マルチキャリア伝送におけるＦａｌｓｅ  Ａｌａｒｍの確率を低減することにより、他システムへの干渉を低減し、他システムとの共存を実現することができる移動通信方法、移動局及び無線基地局を提供することを目的とする。
【課題を解決するための手段】
【００４８】
本発明の第１の特徴は、移動局が、無線基地局に対して複数のキャリアを用いて上りデータを送信する移動通信方法であって、前記移動局に対して、所定のタイムフレームにおいて複数のキャリアを用いた上りデータの送信の有無を通知する情報要素を含む複数の下りリンク制御信号を用いて、前記上りデータの送信を指示する工程Ａと、受信した前記複数の下りリンク制御信号に含まれる前記情報要素に基づいて、前記複数のキャリアを用いた前記上りデータの送信を行うか否かについて決定する工程Ｂとを有することを要旨とする。
【００４９】
本発明の第２の特徴は、無線基地局に対して複数のキャリアを用いて上りデータを送信するように構成されている移動局であって、前記無線基地局から、所定のタイムフレームにおいて複数のキャリアを用いた上りデータの送信の有無を通知する情報要素を含む複数の下りリンク制御信号を受信するように構成されている制御信号受信部と、受信した前記複数の下りリンク制御信号に含まれる前記情報要素に基づいて、前記複数のキャリアを用いた前記上りデータの送信の可否を決定するように構成されている送信部とを具備することを要旨とする。
【００５０】
本発明の第３の特徴は、移動局から、複数のキャリアを用いて上りデータを受信するように構成されている無線基地局であって、前記移動局に対して、所定のタイムフレームにおいて複数のキャリアを用いた上りデータの送信の有無を通知する情報要素を含み、該複数のキャリアを用いた該上りデータの送信を指示する複数の下りリンク制御信号を送信するように構成されている制御信号送信部と、前記移動局によって前記複数の下りリンク制御信号に基づいて前記複数のキャリアを用いて送信された前記上りデータを受信するように構成されている受信部とを具備することを要旨とする。
【００５１】
本発明の第４の特徴は、無線基地局が、移動局に対して複数のキャリアを用いて下りデータを送信する移動通信方法であって、前記移動局に対して、所定のタイムフレームにおいて複数のキャリアを用いた下りデータの送信の有無を通知する情報要素を含む複数の下りリンク制御信号を用いて、前記下りデータの受信を指示する工程Ａと、受信した前記複数の下りリンク制御信号に含まれる前記情報要素に基づいて、前記複数のキャリアを用いた前記下りデータの受信を行うか否かについて決定する工程Ｂとを有することを要旨とする。
【００５２】
本発明の第５の特徴は、無線基地局から、複数のキャリアを用いて下りデータを受信するように構成されている移動局であって、前記無線基地局から、所定のタイムフレームにおいて複数のキャリアを用いた下りデータの送信の有無を通知する情報要素を含む複数の下りリンク制御信号を受信するように構成されている制御信号受信部と、受信した前記複数の下りリンク制御信号に含まれる前記情報要素に基づいて、前記複数のキャリアを用いた前記下りデータの受信の可否を決定するように構成されている受信部とを具備することを要旨とする。
【００５３】
本発明の第６の特徴は、移動局に対して、複数のキャリアを用いて下りデータを送信するように構成されている無線基地局であって、前記移動局に対して、所定のタイムフレームにおいて複数のキャリアを用いた下りデータの送信の有無を通知する情報要素を含み、該複数のキャリアを用いた該下りデータの受信を指示する複数の下りリンク制御信号を送信するように構成されている制御信号送信部と、前記移動局に対して、前記複数の下りリンク制御信号によって指定した前記複数のキャリアを用いて前記下りデータを送信するように構成されている送信部とを具備することを要旨とする。
【発明の効果】
【００５４】
以上説明したように、本発明によれば、マルチキャリア伝送におけるＦａｌｓｅ  Ａｌａｒｍの確率を低減することにより、他システムへの干渉を低減し、他システムとの共存を実現することができる移動通信方法、移動局及び無線基地局を提供することができる。
【図面の簡単な説明】
【００５５】
【図１】本発明の第１の実施形態に係る移動通信システムの全体構成図である。
【図２】本発明の第１の実施形態に係る移動局ＵＥの機能ブロック図である。
【図３】本発明の第１の実施形態に係る移動局ＵＥにおける「Ｃａｒｒｉｅｒ  ａｇｇｒｅｇａｔｉｏｎ」について説明するための図である。
【図４】本発明の第１の実施形態に係る移動局ＵＥにおける「Ｃａｒｒｉｅｒ  ａｇｇｒｅｇａｔｉｏｎ」について説明するための図である。
【図５】本発明の第１の実施形態に係る移動局ＵＥにおける「Ｃａｒｒｉｅｒ  ａｇｇｒｅｇａｔｉｏｎ」について説明するための図である。
【図６】本発明の第１の実施形態に係る移動局ＵＥにおける「Ｃａｒｒｉｅｒ  ａｇｇｒｅｇａｔｉｏｎ」について説明するための図である。
【図７】本発明の第１の実施形態に係る移動局ＵＥにおける「Ｃａｒｒｉｅｒ  ａｇｇｒｅｇａｔｉｏｎ」について説明するための図である。
【図８】本発明の第１の実施形態に係る移動局ＵＥにおける「Ｃａｒｒｉｅｒ  ａｇｇｒｅｇａｔｉｏｎ」について説明するための図である。
【図９】本発明の第１の実施形態に係る移動局ＵＥにおける「Ｃａｒｒｉｅｒ  ａｇｇｒｅｇａｔｉｏｎ」について説明するための図である。
【図１０】本発明の第１の実施形態に係る移動局ＵＥにおける「Ｃａｒｒｉｅｒ  ａｇｇｒｅｇａｔｉｏｎ」について説明するための図である。
【図１１】本発明の第１の実施形態に係る移動局ＵＥにおける「Ｃａｒｒｉｅｒ  ａｇｇｒｅｇａｔｉｏｎ」について説明するための図である。
【図１２】本発明の第１の実施形態に係る移動局ＵＥにおける「Ｃａｒｒｉｅｒ  ａｇｇｒｅｇａｔｉｏｎ」について説明するための図である。
【図１３】本発明の第１の実施形態に係る無線基地局ｅＮＢの機能ブロック図である。
【図１４】従来の移動通信システムについて説明するための図である。
【図１５】従来の移動通信システムについて説明するための図である。
【発明を実施するための形態】
【００５６】
（本発明の第１の実施形態に係る移動通信システム）
以下、本発明の第１の実施形態に係る移動通信システムについて、図面を参照しつつ説明する。本実施形態を説明するための全図において、同一機能を有するものは同一符号を用い、繰り返しの説明は省略する。
【００５７】
図１を参照しながら、本実施形態に係る移動局ＵＥ及び無線基地局ｅＮＢを有する移動通信システムについて説明する。
【００５８】
本実施形態に係る移動通信システムは、例えば、「Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ、或いは、Ｓｕｐｅｒ  ３Ｇ）」方式、或いは、ＬＴＥ-Ａｄｖａｎｃｅｄ方式が適用されるシステムである。
【００５９】
図１に示すように、本実施形態に係る移動通信システムは、無線基地局ｅＮＢと、無線基地局ｅＮＢと通信する移動局ＵＥとを具備する。
【００６０】
本実施形態に係る移動通信システムでは、無線アクセス方式として、下りリンクについては「ＯＦＤＭＡ（直交周波数分割多元接続）方式」が適用され、上りリンクについては「ＳＣ-ＦＤＭＡ（シングルキャリア-周波数分割多元接続）方式」が適用される。
【００６１】
上述したように、ＯＦＤＭＡ方式は、周波数帯域を複数の狭い周波数帯域（サブキャリア）に分割し、各サブキャリアにデータをマッピングして通信を行うマルチキャリア伝送方式である。また、ＳＣ-ＦＤＭＡ方式は、周波数帯域を移動局ＵＥ毎に分割し、複数の移動局ＵＥが互いに異なる周波数帯域を用いることで、移動局ＵＥ間の干渉を低減するシングルキャリア伝送方式である。
【００６２】
なお、本実施形態に係る移動通信システムでは、「Ｃａｒｒｉｅｒ  Ａｇｇｒｅｇａｔｉｏｎ」が行われるように構成されている。
【００６３】
具体的には、下りリンクについては、「Ｃｏｍｐｏｎｅｎｔ  Ｃａｒｒｉｅｒ（コンポーネントキャリア）」を複数用いた通信が行われる。ここで、「Ｃｏｍｐｏｎｅｎｔ  Ｃａｒｒｉｅｒ」とは、ＬＴＥ方式における１つのシステムキャリアに相当する。すなわち、ＬＴＥ方式では、１つの「Ｃｏｍｐｏｎｅｎｔ  Ｃａｒｒｉｅｒ」で通信が行われていたが、ＬＴＥ-Ａｄｖａｎｃｅｄ方式では、２つ以上の「Ｃｏｍｐｏｎｅｎｔ  Ｃａｒｒｉｅｒ」で通信が行われてもよい。
【００６４】
上りリンクにおいても、２つ以上の「Ｃｏｍｐｏｎｅｎｔ  Ｃａｒｒｉｅｒ」で通信が行われてもよい。また、ＬＴＥ方式においては、基本的に、シングルキャリア送信であったが、ＬＴＥ-Ａｄｖａｎｃｅｄ方式では、マルチキャリア送信が行われてもよい。
【００６５】
ここで、マルチキャリア送信は、複数の「Ｃｏｍｐｏｎｅｎｔ  Ｃａｒｒｉｅｒ」に跨ったマルチキャリア送信であってもよいし、１つの「Ｃｏｍｐｏｎｅｎｔ  Ｃａｒｒｉｅｒ」内でのマルチキャリア送信であってもよいし、或いは、複数の「Ｃｏｍｐｏｎｅｎｔ  Ｃａｒｒｉｅｒ」に跨ったマルチキャリア送信であり、かつ、１つの「Ｃｏｍｐｏｎｅｎｔ  Ｃａｒｒｉｅｒ」内でマルチキャリア送信が行われていてもよい。
【００６６】
ここで、「Ｅｖｏｌｖｅｄ  ＵＴＲＡ  ａｎｄ  ＵＴＲＡＮ（ＬＴＥ）」方式で用いられる通信チャネルについて説明する。なお、以下に示す通信チャネルは、ＬＴＥ-Ａｄｖａｎｃｅｄ方式においても用いられる。
【００６７】
下りリンクについては、各移動局ＵＥで共有される「物理下りリンク共有チャネル（ＰＤＳＣＨ）」及び「物理下りリンク制御チャネル（ＰＤＣＣＨ）」が用いられる。
【００６８】
物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）により、ユーザデータ、すなわち、通常のデータ信号が伝送される。
【００６９】
ここで、データ信号とは、ベストエフォート型のパケットデータやストリーミング型のパケットデータや制御信号等である。ベストエフォート型のパケットデータには、メールの送受信のためのパケットデータやＷｅｂ  ｂｒｏｗｓｉｎｇのためのパケットデータ等が含まれる。また、データ信号には、ＶｏＩＰ等による音声信号等も含まれてもよい。
【００７０】
また、制御信号は、例えば、ＲＲＣメッセージであり、論理チャネルとしては、ＤＣＣＨ（Ｄｅｄｉｃａｔｅｄ  Ｃｏｎｔｒｏｌ  Ｃｈａｎｎｅｌ）であってもよい。
【００７１】
また、ＰＤＣＣＨにより、ＰＤＳＣＨを用いて通信を行う移動局ＵＥのＩＤやユーザデータのトランスポートフォーマットの情報（すなわち、下りスケジューリング情報）や、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を用いて通信を行う移動局ＵＥのＩＤやユーザデータのトランスポートフォーマットの情報（すなわち、上りスケジューリンググラント）等が通知される。
【００７２】
ＰＤＣＣＨは、「下りＬ１/Ｌ２制御チャネル（Ｄｏｗｎｌｉｎｋ  Ｌ１/Ｌ２  Ｃｏｎｔｒｏｌ  Ｃｈａｎｎｅｌ）」と呼ばれてもよい。また、「下りスケジューリング情報」や「上りスケジューリンググラント」は、まとめて、「下りリンク制御情報（ＤＣＩ）」と呼ばれてもよい。
【００７３】
また、下りリンクにおいては、論理チャネルとして「ＢＣＣＨ：Ｂｒｏａｄｃａｓｔ  Ｃｏｎｔｒｏｌ  Ｃｈａｎｎｅｌ」が送信される。
【００７４】
ＢＣＣＨの一部は、トランスポートチャネルである「ＢＣＨ：Ｂｒｏａｄｃａｓｔ  Ｃｈａｎｎｅｌ」」にマッピングされ、ＢＣＨにマッピングされた情報は、物理チャネルである「Ｐ-ＢＣＨ：Ｐｈｙｓｉｃａｌ  Ｂｒｏａｄｃａｓｔ  Ｃｈａｎｎｅｌ」により、該当するセル内の移動局ＵＥに送信される。
【００７５】
また、ＢＣＣＨの一部は、トランスポートチャネルである「ＤＬ-ＳＣＨ：Ｄｏｗｎｌｉｎｋ  Ｓｈａｒｅｄ  Ｃｈａｎｎｅｌ」にマッピングされ、ＤＬ-ＳＣＨにマッピングされた情報は、物理チャネルである「ＰＤＳＣＨ」により、該当するセル内の移動局ＵＥに送信される。
【００７６】
ＢＣＣＨ/ＤＬ-ＳＣＨ/ＰＤＳＣＨにより送信される報知チャネルは、ダイナミック報知チャネル（Ｄ-ＢＣＨ）と呼ばれてもよい。
【００７７】
上りリンクについては、各移動局ＵＥで共有して使用されるＰＵＳＣＨ及びＰＤＣＣＨが用いられる。かかるＰＵＳＣＨにより、ユーザデータ、すなわち、通常のデータ信号が伝送される。
【００７８】
また、ＰＵＣＣＨにより、ＰＤＳＣＨのスケジューリング処理や適応変調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、ＰＤＳＣＨの送達確認情報（Ａｃｋｎｏｗｌｅｄｇｅｍｅｎｔ  Ｉｎｆｏｒｍａｔｉｏｎ）が伝送される。
【００７９】
かかる下りリンクの品質情報は、ＣＱＩやＰＭＩ（Ｐｒｅ-ｃｏｄｉｎｇ  Ｍａｔｒｉｘ  Ｉｎｄｉｃａｔｏｒ）やＲＩ（Ｒａｎｋ  Ｉｎｄｉｃａｔｏｒ）をまとめたインディケータであるＣＳＩ（Ｃｈａｎｎｅｌ  Ｓｔａｔｅ  Ｉｎｄｉｃａｔｏｒ）と呼ばれてもよい。
【００８０】
また、かかる送達確認情報の内容は、送信信号が適切に受信されたことを示す肯定応答（ＡＣＫ：Ａｃｋｎｏｗｌｅｄｇｅｍｅｎｔ）又は送信信号が適切に受信されなかったことを示す否定応答（ＮＡＣＫ：Ｎｅｇａｔｉｖｅ  Ａｃｋｎｏｗｌｅｄｇｅｍｅｎｔ）の何れかで表現される。
【００８１】
なお、上述したＣＱＩや送達確認情報の送信タイミングが、ＰＵＳＣＨの送信タイミングと同じである場合には、かかるＣＱＩや送達確認情報を、ＰＵＳＣＨに多重して送信してもよい。
【００８２】
図２に示すように、移動局ＵＥは、制御信号受信部１１と、送信部１２と、受信部１３とを具備している。
【００８３】
制御信号受信部１１は、上りデータ（具体的には、ＰＵＳＣＨを介して送信される上りデータ）の送信、或いは、下りデータ（具体的には、ＰＤＳＣＨを介して送信される下りデータ）の受信を指示する複数の下り制御信号を受信するように構成されている。
【００８４】
具体的には、制御信号受信部１１は、ＰＤＣＣＨを介して、下りリンク制御信号として、「上りスケジューリンググラント」や「下りリンクスケジューリング情報」を受信するように構成されていてもよい。
【００８５】
かかる下りリンク制御信号は、パラメータとして、上りリンクの場合には、上りデータの送信帯域幅、上りデータの変調方式、上りデータの送信周波数の少なくとも１つを含んでいてもよい。
【００８６】
また、かかる下りリンク制御信号は、パラメータとして、下りリンクの場合には、下りデータの送信帯域を示す情報、下りデータの変調方式の少なくとも１つを含んでいてもよい。
【００８７】
また、かかる下りリンク制御信号は、所定のタイムフレーム（サブフレーム）において複数のキャリアを用いた上りデータの送信の有無を通知する情報要素、或いは、所定のタイムフレーム（サブフレーム）において複数のキャリアを用いた下りデータの送信の有無を通知する情報要素を含んでいてもよい。
【００８８】
送信部１２は、無線基地局ｅＮＢに対して、制御信号受信部１１によって受信された下りリンク制御信号に基づいて、上りデータを送信するように構成されている。
【００８９】
ここで、送信部１２は、制御信号受信部１１によって受信された下りリンク制御信号に含まれる情報要素に基づいて、かかる複数のキャリアを用いた上りデータの送信、すなわち、マルチキャリア伝送の可否を決定するように構成されていてもよい。
【００９０】
かかる情報要素は、１ビットによって構成されていてもよいし、複数ビットによって構成されていてもよい。
【００９１】
例えば、かかる情報要素は、「１」が設定されている場合には、複数のキャリアを用いた上りデータの送信が存在することを示し、「０」が設定されている場合には、複数のキャリアを用いた上りデータの送信が存在しないことを示してもよい。
【００９２】
また、かかる情報要素は、かかる複数のキャリアを用いた上り制御信号（具体的には、ＰＵＣＣＨを介した上り制御信号）の送信の可否を示すビットを含んでいてもよい。
【００９３】
ここで、複数の下りリンク制御信号に含まれる情報要素が、複数のキャリアを用いた上りデータの送信が存在することを示す場合にのみ、送信部１２は、かかる複数の下りリンク制御信号に基づいて、複数のキャリアを用いた上りデータの送信を行うことを決定するように構成されていてもよい。
【００９４】
例えば、図３に示すように、複数の下りリンク制御信号、すなわち、ＰＤＣＣＨ＃Ａ及びＰＤＣＣＨ＃Ｂを介して送信された下り制御信号に含まれる情報要素の両方に「１」が設定されている場合にのみ、送信部１２は、ＰＤＣＣＨ＃Ａ及びＰＤＣＣＨ＃Ｂを介して送信された下り制御信号に基づいて、複数のキャリア、すなわち、第１キャリア及び第２キャリアを用いた上りデータの送信（マルチキャリア送信）を行うことを決定するように構成されていてもよい。
【００９５】
ここで、ＰＤＣＣＨ＃Ａを介して送信された下り制御信号は、第１キャリアを用いた上り信号の送信を指示し、ＰＤＣＣＨ＃Ｂを介して送信された下り制御信号は、第２キャリアを用いた上り信号の送信を指示しているものとする。
【００９６】
ここで、ＰＤＣＣＨ＃Ａを介して送信された下り制御信号における前記情報要素は、第２キャリアを用いた上り信号の送信が存在するか否かを通知し、ＰＤＣＣＨ＃Ｂを介して送信された下り制御信号における前記情報要素は、第１キャリアを用いた上り信号の送信が存在するか否かを通知することになる。
【００９７】
また、複数の下りリンク制御信号の１つに含まれる情報要素が、複数のキャリアを用いた上りデータの送信が存在しないことを示す場合に、送信部１２は、複数のキャリアを用いた上りデータの送信が存在しないことを示す情報要素を含む下りリンク制御信号に基づいて、上りデータの送信を行うことを決定するように構成されていてもよい。
【００９８】
例えば、図４に示すように、複数の下りリンク制御信号の１つに含まれる情報要素、すなわち、ＰＤＣＣＨ＃Ｂを介して送信された下り制御信号に含まれる情報要素に「０」が設定されており、ＰＤＣＣＨ＃Ａを介して送信された下り制御信号に含まれる情報要素に「１」が設定されている場合に、送信部１２は、ＰＤＣＣＨ＃Ｂを介して送信された下りリンク制御信号に基づいて、第２キャリアを用いた上りデータの送信（シングルキャリア送信）を行うことを決定するように構成されていてもよい。
【００９９】
図４の場合、ＰＤＣＣＨ＃Ａにおける前記情報要素とＰＤＣＣＨ＃Ｂにおける前記情報要素とが相矛盾しているため、いずれかのＰＤＣＣＨがＦａｌｓｅ  Ａｌａｒｍであると想定される。
【０１００】
図４の場合、Ｆａｌｓｅ  ＡｌａｒｍでないＰＤＣＣＨにおける情報要素は、適切な設定が行われていることを前提とすると、前記情報要素として「０」が設定されているＰＤＣＣＨ＃Ｂが適切に受信されたＰＤＣＣＨであり、前記情報要素として「１」が設定されているＰＤＣＣＨ＃ＡがＦａｌｓｅ  Ａｌａｒｍであると想定される。
【０１０１】
以上の理由により、ＰＤＣＣＨ＃Ｂを介して送信された下りリンク制御信号に基づいて、第２キャリアを用いた上りデータの送信（シングルキャリア送信）を行うように決定するように構成されていてもよい。
【０１０２】
また、複数の下りリンク制御信号の１つに含まれる情報要素が、複数のキャリアを用いた上りデータの送信が存在しないことを示す場合に、送信部１２は、かかる複数の下りリンク制御信号の全てに関して、上りデータの送信を行わないことを決定するように構成されていてもよい。
【０１０３】
例えば、図５に示すように、複数の下りリンク制御信号の１つに含まれる情報要素、すなわち、ＰＤＣＣＨ＃Ｂを介して送信された下り制御信号に含まれる情報要素に「０」が設定されており、ＰＤＣＣＨ＃Ａを介して送信された下り制御信号に含まれる情報要素に「１」が設定されている場合に、送信部１２は、ＰＤＣＣＨ＃Ａ及びＰＤＣＣＨ＃Ｂを介して送信された下りリンク制御信号の両方に関して、第１キャリア及び第２キャリアを用いた上りデータの送信（マルチキャリア送信）を行わないことを決定するように構成されていてもよい。
【０１０４】
図５の場合、ＰＤＣＣＨ＃Ａにおける前記情報要素とＰＤＣＣＨ＃Ｂにおける前記情報要素とが相矛盾しているため、いずれかのＰＤＣＣＨがＦａｌｓｅ  Ａｌａｒｍであると想定される。
【０１０５】
図５の場合、いずれのＰＤＣＣＨがＦａｌｓｅ  Ａｌａｒｍであるかが明確ではないという考えに基づき、ＰＤＣＣＨ＃Ａを介して送信された下りリンク制御信号に基づいて上りデータ信号の送信を行うことも、ＰＤＣＣＨ＃Ｂを介して送信された下りリンク制御信号に基づいて上りデータ信号の送信を行うことも行わないと決定するように構成されていてもよい。
【０１０６】
図５の場合、結果として、図４の場合の動作に比べて、より確実に、無線基地局ｅＮＢの指示通りに上りリンクのデータ信号の送信を行うことが可能となる。
【０１０７】
なお、図６に示すように、複数の下りリンク制御信号の１つに含まれる情報要素、すなわち、ＰＤＣＣＨ＃Ｂを介して送信された下り制御信号に含まれる情報要素に「０」が設定されており、ＰＤＣＣＨ＃Ａを介して送信された下り制御信号に含まれる情報要素に「０」が設定されている場合に、送信部１２は、ＰＤＣＣＨ＃Ａ及びＰＤＣＣＨ＃Ｂを介して送信された下りリンク制御信号の両方に関して、第１キャリア及び第２キャリアを用いた上りデータの送信を行わないことを決定するように構成されていてもよい。
【０１０８】
図６の場合、ＰＤＣＣＨ＃Ａにおける前記情報要素とＰＤＣＣＨ＃Ｂにおける前記情報要素とが相矛盾しているため、いずれかのＰＤＣＣＨがＦａｌｓｅ  Ａｌａｒｍであると想定される。
【０１０９】
また、図６の場合は、図４の場合と異なり、どちらのＰＤＣＣＨがＦａｌｓｅ  Ａｌａｒｍであるかを判断することが困難であると想定される。
【０１１０】
図６の場合、いずれのＰＤＣＣＨがＦａｌｓｅ  Ａｌａｒｍであるかが不明であるという考えに基づき、ＰＤＣＣＨ＃Ａを介して送信された下りリンク制御信号に基づいて上りデータ信号の送信を行うことも、ＰＤＣＣＨ＃Ｂを介して送信された下りリンク制御信号に基づいて上りデータ信号の送信を行うことも行わないと決定するように構成されていてもよい。
【０１１１】
図６の場合、より確実に、無線基地局ｅＮＢの指示通りに上りリンクのデータ信号の送信を行うことが可能となる。
【０１１２】
なお、上述した例では、マルチキャリア伝送が行われるか否かを示す１ビットの情報要素に基づいて、複数のキャリアを用いた上りデータの送信、すなわち、マルチキャリア伝送の可否が決定されたが、代わりに、自キャリア以外の各キャリアに関してその送信の有無を示すビットが定義され、かかるビットに基づいて、かかる複数のキャリアを用いた上りデータの送信、すなわち、マルチキャリア伝送の可否を決定するように構成されていてもよい。
【０１１３】
この場合、送信部１２は、かかる自キャリア以外の各キャリアに関してその送信の有無を示すビットが、互いに矛盾しない場合に、前記下りリンク制御信号に基づいた上りデータの送信を行うと決定するように構成されていてもよい。
【０１１４】
言い換えれば、送信部１２は、かかる自キャリア以外の各キャリアに関してその送信の有無を示すビットが、互いに矛盾する場合に、前記下りリンク制御信号に基づいた上りデータの送信を行わないと決定するように構成されていてもよい。
【０１１５】
例えば、第１キャリアと第２キャリアが存在する場合の例を以下に示す。
【０１１６】
ここで、ＰＤＣＣＨ＃Ａを介して送信された下り制御信号は、第１キャリアを用いた上り信号の送信を指示し、ＰＤＣＣＨ＃Ｂを介して送信された下り制御信号は、第２キャリアを用いた上り信号の送信を指示しているものとする。
【０１１７】
そして、ＰＤＣＣＨ＃Ａには、第２キャリアの送信を示すビットが定義され、ＰＤＣＣＨ＃Ｂには、第１キャリアの送信を示すビットが定義されているものとする。
【０１１８】
ここで、かかるビットが「１」である場合に、該キャリアの送信が行われるという意味であり、かかるビットが「０」である場合に、該キャリアの送信が行われないという意味である。
例えば、図７に示すように、複数の下りリンク制御信号、すなわち、ＰＤＣＣＨ＃Ａを介して送信された下り制御信号に含まれる情報要素において、第２キャリアの送信に関して「１」が設定され、ＰＤＣＣＨ＃Ｂを介して送信された下り制御信号に含まれる情報要素において、第１キャリアの送信に関して「１」が設定されている場合を考える。
【０１１９】
図７の場合、ＰＤＣＣＨ＃Ａを介して送信された下り制御信号に含まれる情報要素とＰＤＣＣＨ＃Ｂを介して送信された下り制御信号に含まれる情報要素とで矛盾が存在しないため、送信部１２は、ＰＤＣＣＨ＃Ａ及びＰＤＣＣＨ＃Ｂを介して送信された下り制御信号に基づいて、複数のキャリア、すなわち、第１キャリア及び第２キャリアを用いた上りデータの送信（マルチキャリア送信）を行うことを決定するように構成されていてもよい。
【０１２０】
また、例えば、図８に示すように、複数の下りリンク制御信号、すなわち、ＰＤＣＣＨ＃Ａを介して送信された下り制御信号に含まれる情報要素において、第２キャリアの送信に関して「０」が設定され、ＰＤＣＣＨ＃Ｂを介して送信された下り制御信号に含まれる情報要素において、第１キャリアの送信に関して「１」が設定されている場合を考える。
【０１２１】
図８の場合、ＰＤＣＣＨ＃Ａを介して送信された下り制御信号に含まれる情報要素とＰＤＣＣＨ＃Ｂを介して送信された下り制御信号に含まれる情報要素とで矛盾が存在するため、送信部１２は、ＰＤＣＣＨ＃Ａを介して送信された下り制御信号に基づいた第１キャリアの上りデータ信号の送信も、ＰＤＣＣＨ＃Ｂを介して送信された下り制御信号に基づいた第２キャリアの上りデータ信号の送信も行わないと決定するように構成されていてもよい。
【０１２２】
また、例えば、図９に示すように、複数の下りリンク制御信号、すなわち、ＰＤＣＣＨ＃Ａを介して送信された下り制御信号に含まれる情報要素において、第２キャリアの送信に関して「０」が設定され、ＰＤＣＣＨ＃Ｂを介して送信された下り制御信号に含まれる情報要素において、第１キャリアの送信に関して「０」が設定されている場合を考える。
【０１２３】
図９の場合、ＰＤＣＣＨ＃Ａを介して送信された下り制御信号に含まれる情報要素とＰＤＣＣＨ＃Ｂを介して送信された下り制御信号に含まれる情報要素とで矛盾が存在するため、送信部１２は、ＰＤＣＣＨ＃Ａを介して送信された下り制御信号に基づいた第１キャリアの上りデータ信号の送信も、ＰＤＣＣＨ＃Ｂを介して送信された下り制御信号に基づいた第２キャリアの上りデータ信号の送信も行わないと決定するように構成されていてもよい。
【０１２４】
次に、第１キャリアと第２キャリアと第３キャリアが存在する場合の例を示す。
【０１２５】
ここで、ＰＤＣＣＨ＃Ａを介して送信された下り制御信号は、第１キャリアを用いた上り信号の送信を指示し、ＰＤＣＣＨ＃Ｂを介して送信された下り制御信号は、第２キャリアを用いた上り信号の送信を指示し、ＰＤＣＣＨ＃Ｃを介して送信された下り制御信号は、第３キャリアを用いた上り信号の送信を指示しているものとする。
【０１２６】
そして、ＰＤＣＣＨ＃Ａには、第２キャリアの送信を示すビットと第３キャリアの送信を示すビットが定義され、ＰＤＣＣＨ＃Ｂには、第１キャリアの送信を示すビットと第３キャリアの送信を示すビットとが定義され、ＰＤＣＣＨ＃Ｃには、第１キャリアの送信を示すビットと第２キャリアの送信を示すビットとが定義されているものとする。
【０１２７】
ここで、かかるビットが「１」である場合に、該キャリアの送信が行われるという意味であり、かかるビットが「０」である場合に、該キャリアの送信が行われないという意味である。
【０１２８】
例えば、図１０に示すように、複数の下りリンク制御信号、すなわち、ＰＤＣＣＨ＃Ａを介して送信された下り制御信号に含まれる情報要素において、第２キャリアの送信に関して「１」が設定され、かつ、第３キャリアの送信に関して「１」が設定され、ＰＤＣＣＨ＃Ｂを介して送信された下り制御信号に含まれる情報要素において、第１キャリアの送信に関して「１」が設定され、第３キャリアの送信に関して「１」が設定され、ＰＤＣＣＨ＃Ｃを介して送信された下り制御信号に含まれる情報要素において、第１キャリアの送信に関して「１」が設定され、第２キャリアの送信に関して「１」が設定されている場合を考える。
【０１２９】
図１０の場合、ＰＤＣＣＨ＃Ａを介して送信された下り制御信号に含まれる情報要素とＰＤＣＣＨ＃Ｂを介して送信された下り制御信号に含まれる情報要素とＰＤＣＣＨ＃Ｃを介して送信された下り制御信号に含まれる情報要素とで矛盾が存在しないため、送信部１２は、ＰＤＣＣＨ＃Ａ及びＰＤＣＣＨ＃Ｂ及びＰＤＣＣＨ＃Ｃを介して送信された下り制御信号に基づいて、複数のキャリア、すなわち、第１キャリア及び第２キャリア及び第３キャリアを用いた上りデータの送信（マルチキャリア送信）を行うことを決定するように構成されていてもよい。
【０１３０】
ここで、例えば、ＰＤＣＣＨ＃Ａ、ＰＤＣＣＨ＃Ｂ、ＰＤＣＣＨ＃Ｃの３つの内、少なくとも１つに関して、自キャリア以外のキャリアに関して「０」が設定されている場合、互いに矛盾が存在するため、送信部１２は、第１キャリア及び第２キャリア及び第３キャリアの全てに関して、上りデータの送信（マルチキャリア送信）を行わないことを決定するように構成されていてもよい。
【０１３１】
例えば、図１１に示すように、複数の下りリンク制御信号、すなわち、ＰＤＣＣＨ＃Ａを介して送信された下り制御信号に含まれる情報要素において、第２キャリアの送信に関して「０」が設定され、かつ、第３キャリアの送信に関して「１」が設定され、ＰＤＣＣＨ＃Ｂが存在せず、ＰＤＣＣＨ＃Ｃを介して送信された下り制御信号に含まれる情報要素において、第１キャリアの送信に関して「１」が設定され、第２キャリアの送信に関して「０」が設定されている場合を考える。
【０１３２】
図１１の場合、ＰＤＣＣＨ＃Ａを介して送信された下り制御信号に含まれる情報要素とＰＤＣＣＨ＃Ｂが存在しないという点とＰＤＣＣＨ＃Ｃを介して送信された下り制御信号に含まれる情報要素とで矛盾が存在しないため、送信部１２は、ＰＤＣＣＨ＃Ａ及びＰＤＣＣＨ＃Ｃを介して送信された下り制御信号に基づいて、複数のキャリア、すなわち、第１キャリア及び第３キャリアを用いた上りデータの送信（マルチキャリア送信）を行うことを決定するように構成されていてもよい。
【０１３３】
ここで、例えば、ＰＤＣＣＨ＃Ａ及びＰＤＣＣＨ＃Ｃにおける、前記情報要素が図１１の値であり、かつ、ＰＤＣＣＨ＃Ｂが存在する場合、互いに矛盾が存在するため、送信部１２は、第１キャリア及び第２キャリア及び第３キャリアの全てに関して、上りデータの送信（マルチキャリア送信）を行わないことを決定するように構成されていてもよい。
【０１３４】
或いは、例えば、ＰＤＣＣＨ＃Ａにおける、第３キャリアの送信の有無に関する情報要素と、ＰＤＣＣＨ＃Ｃにおける、第１キャリアの送信の有無に関する情報要素とが互いに矛盾が存在する場合、送信部１２は、第１キャリア及び第２キャリア及び第３キャリアの全てに関して、上りデータの送信（マルチキャリア送信）を行わないことを決定するように構成されていてもよい。
【０１３５】
例えば、図１２に示すように、複数の下りリンク制御信号、すなわち、ＰＤＣＣＨ＃Ａを介して送信された下り制御信号に含まれる情報要素において、第２キャリアの送信に関して「０」が設定され、かつ、第３キャリアの送信に関して「０」が設定され、ＰＤＣＣＨ＃ＢとＰＤＣＣＨ＃Ｃが存在しない場合を考える。この場合、ＰＤＣＣＨ＃Ａを介して送信された下り制御信号に含まれる情報要素とＰＤＣＣＨ＃Ｂ及びＰＤＣＣＨ＃Ｃが存在しないという点とが矛盾しないため、送信部１２は、ＰＤＣＣＨ＃Ａを介して送信された下り制御信号に基づいて、複数のキャリア、すなわち、第１キャリアを用いた上りデータの送信（シングルキャリア送信）を行うことを決定するように構成されていてもよい。
【０１３６】
ここで、例えば、ＰＤＣＣＨ＃Ａにおける、前記情報要素が図１２の値であり、かつ、ＰＤＣＣＨ＃Ｂ又はＰＤＣＣＨ＃Ｃが存在する場合、互いに矛盾が存在するため、送信部１２は、第１キャリア及び第２キャリア及び第３キャリアの全てに関して、上りデータの送信（マルチキャリア送信）を行わないことを決定するように構成されていてもよい。
【０１３７】
なお、上述した例では、自キャリア以外のキャリアに関して、その送信の有無を示すビットが定義されたが、代わりに、自キャリアを含んだキャリアに関して、その送信の有無を示すビットが定義されてもよい。
【０１３８】
この場合、上述した判定に加えて、自キャリアの送信の有無を示すビットが「０」である場合に、矛盾していると判定し、自キャリアの送信の有無を示すビットが「１」である場合に、矛盾していないと判定するといった判定を加えてもよい。
【０１３９】
受信部１３は、無線基地局ｅＮＢから、制御信号受信部１１によって受信された下りリンク制御信号に基づいて、下りデータを受信するように構成されている。
【０１４０】
ここで、受信部１３は、制御信号受信部１１によって受信された下りリンク制御信号に含まれる情報要素に基づいて、かかる複数のキャリアを用いた下りデータの受信、すなわち、マルチキャリア伝送の可否を決定するように構成されていてもよい。
【０１４１】
具体的には、複数の下りリンク制御信号に含まれる情報要素が、複数のキャリアを用いた下りデータの送信が存在することを示す場合にのみ、受信部１３は、かかる複数の下りリンク制御信号に基づいて、複数のキャリアを用いた下りデータの受信を行うことを決定するように構成されていてもよい。
【０１４２】
例えば、図３に示すように、複数の下りリンク制御信号、すなわち、ＰＤＣＣＨ＃Ａ及びＰＤＣＣＨ＃Ｂを介して送信された下り制御信号に含まれる情報要素の両方に「１」が設定されている場合にのみ、受信部１３は、ＰＤＣＣＨ＃Ａ及びＰＤＣＣＨ＃Ｂを介して送信された下り制御信号に基づいて、複数のキャリア、すなわち、第１キャリア及び第２キャリアを用いた下りデータの受信（マルチキャリア受信）を行うことを決定するように構成されていてもよい。
【０１４３】
ここで、ＰＤＣＣＨ＃Ａを介して送信された下り制御信号は、第１キャリアを用いた下り信号の受信を指示し、ＰＤＣＣＨ＃Ｂを介して送信された下り制御信号は、第２キャリアを用いた下り信号の受信を指示しているものとする。
【０１４４】
ここで、ＰＤＣＣＨ＃Ａを介して送信された下り制御信号における前記情報要素は、第２キャリアを用いた下り信号の送信が存在するか否かを通知し、ＰＤＣＣＨ＃Ｂを介して送信された下り制御信号における前記情報要素は、第１キャリアを用いた下り信号の送信が存在するか否かを通知することになる。
【０１４５】
また、複数の下りリンク制御信号の１つに含まれる情報要素が、複数のキャリアを用いた下りデータの送信が存在しないことを示す場合に、受信部１３は、複数のキャリアを用いた下りデータの送信が存在しないことを示す情報要素を含む下りリンク制御信号に基づいて、下りデータの受信を行うことを決定するように構成されていてもよい。
【０１４６】
例えば、図４に示すように、複数の下りリンク制御信号の１つに含まれる情報要素、すなわち、ＰＤＣＣＨ＃Ｂを介して送信された下り制御信号に含まれる情報要素に「０」が設定されており、ＰＤＣＣＨ＃Ａを介して送信された下り制御信号に含まれる情報要素に「１」が設定されている場合に、受信部１３は、ＰＤＣＣＨ＃Ｂを介して送信された下りリンク制御信号に基づいて、第２キャリアを用いた下りデータの受信（シングルキャリア受信）を行うことを決定するように構成されていてもよい。
【０１４７】
図４の場合、ＰＤＣＣＨ＃Ａにおける前記情報要素とＰＤＣＣＨ＃Ｂにおける前記情報要素とが相矛盾しているため、いずれかのＰＤＣＣＨがＦａｌｓｅ  Ａｌａｒｍであると想定される。
【０１４８】
図４の場合、Ｆａｌｓｅ  ＡｌａｒｍでないＰＤＣＣＨにおける情報要素は、適切な設定が行われていることを前提とすると、前記情報要素として「０」が設定されているＰＤＣＣＨ＃Ｂが適切に受信されたＰＤＣＣＨであり、前記情報要素として「１」が設定されているＰＤＣＣＨ＃ＡがＦａｌｓｅ  Ａｌａｒｍであると想定される。
【０１４９】
以上の理由により、ＰＤＣＣＨ＃Ｂを介して送信された下りリンク制御信号に基づいて、第２キャリアを用いた下りデータの受信（シングルキャリア受信）を行うように決定するように構成されていてもよい。
【０１５０】
また、複数の下りリンク制御信号の１つに含まれる情報要素が、複数のキャリアを用いた下りデータの送信が存在しないことを示す場合に、受信部１３は、かかる複数の下りリンク制御信号の全てに関して、下りデータの受信を行わないことを決定するように構成されていてもよい。
【０１５１】
例えば、図５に示すように、複数の下りリンク制御信号の１つに含まれる情報要素、すなわち、ＰＤＣＣＨ＃Ｂを介して送信された下り制御信号に含まれる情報要素に「０」が設定されており、ＰＤＣＣＨ＃Ａを介して送信された下り制御信号に含まれる情報要素に「１」が設定されている場合に、受信部１３は、ＰＤＣＣＨ＃Ａ及びＰＤＣＣＨ＃Ｂを介して送信された下りリンク制御信号の両方に関して、第１キャリア及び第２キャリアを用いた下りデータの受信（マルチキャリア受信）を行わないことを決定するように構成されていてもよい。
【０１５２】
図５の場合、ＰＤＣＣＨ＃Ａにおける前記情報要素とＰＤＣＣＨ＃Ｂにおける前記情報要素が相矛盾しているため、いずれかのＰＤＣＣＨがＦａｌｓｅ  Ａｌａｒｍであると想定される。
【０１５３】
図５の場合、いずれのＰＤＣＣＨがＦａｌｓｅ  Ａｌａｒｍであるかが明確ではないという考えに基づき、ＰＤＣＣＨ＃Ａを介して送信された下りリンク制御信号に基づいて下りデータ信号の受信を行うことも、ＰＤＣＣＨ＃Ｂを介して送信された下りリンク制御信号に基づいて下りデータ信号の受信を行うことも行わないと決定するように構成されていてもよい。
【０１５４】
図５の場合、結果として、図４の場合の動作に比べて、より確実に、無線基地局ｅＮＢの指示通りに下りリンクデータ信号の受信を行うことが可能となる。
【０１５５】
なお、図６に示すように、複数の下りリンク制御信号の１つに含まれる情報要素、すなわち、ＰＤＣＣＨ＃Ｂを介して送信された下り制御信号に含まれる情報要素に「０」が設定されており、ＰＤＣＣＨ＃Ａを介して送信された下り制御信号に含まれる情報要素に「０」が設定されている場合に、受信部１３は、ＰＤＣＣＨ＃Ａ及びＰＤＣＣＨ＃Ｂを介して送信された下りリンク制御信号の両方に関して、第１キャリアを用いた下りデータの受信を行うことを決定するように構成されていてもよい。
【０１５６】
図７の場合、ＰＤＣＣＨ＃Ａにおける前記情報要素とＰＤＣＣＨ＃Ｂにおける前記情報要素とが相矛盾しているため、いずれかのＰＤＣＣＨがＦａｌｓｅ  Ａｌａｒｍであると想定される。
【０１５７】
また、図７の場合は、図４の場合と異なり、どちらのＰＤＣＣＨがＦａｌｓｅ  Ａｌａｒｍであるかを判断することが困難であると想定される。
【０１５８】
図７の場合、いずれのＰＤＣＣＨがＦａｌｓｅ  Ａｌａｒｍであるかが不明であるという考えに基づき、ＰＤＣＣＨ＃Ａを介して送信された下りリンク制御信号に基づいて下りデータ信号の受信を行うことも、ＰＤＣＣＨ＃Ｂを介して送信された下りリンク制御信号に基づいて下りデータ信号の受信を行うことも行わないと決定するように構成されていてもよい。
【０１５９】
図７の場合、より確実に、無線基地局ｅＮＢの指示通りに下りリンクのデータ信号の受信を行うことが可能となる。
【０１６０】
なお、上述した例では、マルチキャリア伝送が行われるか否かを示す１ビットの情報要素に基づいて、複数のキャリアを用いた下りデータの受信、すなわち、マルチキャリア伝送の可否が決定されたが、代わりに、自キャリア以外の各キャリアに関してその送信の有無を示すビットが定義され、かかるビットに基づいて、かかる複数のキャリアを用いた下りデータの受信、すなわち、マルチキャリア伝送の可否を決定するように構成されていてもよい。
【０１６１】
この場合、受信部１３は、かかる自キャリア以外の各キャリアに関してその送信の有無を示すビットが、互いに矛盾しない場合に、前記下りリンク制御信号に基づいた下りデータの受信を行うと決定するように構成されていてもよい。
【０１６２】
言い換えれば、受信部１３は、かかる自キャリア以外の各キャリアに関してその送信の有無を示すビットが、互いに矛盾する場合に、前記下りリンク制御信号に基づいた下りデータの受信を行わないと決定するように構成されていてもよい。
【０１６３】
例えば、第１キャリアと第２キャリアが存在する場合の例を以下に示す。
【０１６４】
ここで、ＰＤＣＣＨ＃Ａを介して送信された下り制御信号は、第１キャリアを用いた下り信号の送信を通知し、ＰＤＣＣＨ＃Ｂを介して送信された下り制御信号は、第２キャリアを用いた下り信号の送信を通知しているものとする。
【０１６５】
そして、ＰＤＣＣＨ＃Ａには、第２キャリアの送信を示すビットが定義され、ＰＤＣＣＨ＃Ｂには、第１キャリアの送信を示すビットが定義されているものとする。
【０１６６】
ここで、かかるビットが「１」である場合に、該キャリアの送信が行われるという意味であり、かかるビットが「０」である場合に、該キャリアの送信が行われないという意味である。
【０１６７】
例えば、図７に示すように、複数の下りリンク制御信号、すなわち、ＰＤＣＣＨ＃Ａを介して送信された下り制御信号に含まれる情報要素において、第２キャリアの送信に関して「１」が設定され、ＰＤＣＣＨ＃Ｂを介して送信された下り制御信号に含まれる情報要素において、第１キャリアの送信に関して「１」が設定されている場合を考える。
【０１６８】
図７の場合、ＰＤＣＣＨ＃Ａを介して送信された下り制御信号に含まれる情報要素とＰＤＣＣＨ＃Ｂを介して送信された下り制御信号に含まれる情報要素とで矛盾が存在しないため、送信部１２は、ＰＤＣＣＨ＃Ａ及びＰＤＣＣＨ＃Ｂを介して送信された下り制御信号に基づいて、複数のキャリア、すなわち、第１キャリア及び第２キャリアを用いた下りデータの受信（マルチキャリア受信）を行うことを決定するように構成されていてもよい。
【０１６９】
また、例えば、図８に示すように、複数の下りリンク制御信号、すなわち、ＰＤＣＣＨ＃Ａを介して送信された下り制御信号に含まれる情報要素において、第２キャリアの送信に関して「０」が設定され、ＰＤＣＣＨ＃Ｂを介して送信された下り制御信号に含まれる情報要素において、第１キャリアの送信に関して「１」が設定されている場合を考える。
【０１７０】
図８の場合、ＰＤＣＣＨ＃Ａを介して送信された下り制御信号に含まれる情報要素とＰＤＣＣＨ＃Ｂを介して送信された下り制御信号に含まれる情報要素とで矛盾が存在するため、送信部１２は、ＰＤＣＣＨ＃Ａを介して送信された下り制御信号に基づいた第１キャリアの下りデータ信号の受信も、ＰＤＣＣＨ＃Ｂを介して送信された下り制御信号に基づいた第２キャリアの下りデータ信号の受信も行わないと決定するように構成されていてもよい。
【０１７１】
また、例えば、図９に示すように、複数の下りリンク制御信号、すなわち、ＰＤＣＣＨ＃Ａを介して送信された下り制御信号に含まれる情報要素において、第２キャリアの送信に関して「０」が設定され、ＰＤＣＣＨ＃Ｂを介して送信された下り制御信号に含まれる情報要素において、第１キャリアの送信に関して「０」が設定されている場合を考える。
【０１７２】
図９の場合、ＰＤＣＣＨ＃Ａを介して送信された下り制御信号に含まれる情報要素とＰＤＣＣＨ＃Ｂを介して送信された下り制御信号に含まれる情報要素とで矛盾が存在するため、送信部１２は、ＰＤＣＣＨ＃Ａを介して送信された下り制御信号に基づいた第１キャリアの下りデータ信号の受信も、ＰＤＣＣＨ＃Ｂを介して送信された下り制御信号に基づいた第２キャリアの下りデータ信号の受信も行わないと決定するように構成されていてもよい。
【０１７３】
次に、第１キャリアと第２キャリアと第３キャリアが存在する場合の例を示す。
【０１７４】
ここで、ＰＤＣＣＨ＃Ａを介して送信された下り制御信号は、第１キャリアを用いた下り信号の送信を通知し、ＰＤＣＣＨ＃Ｂを介して送信された下り制御信号は、第２キャリアを用いた下り信号の送信を通知し、ＰＤＣＣＨ＃Ｃを介して送信された下り制御信号は、第３キャリアを用いた下り信号の通知を指示しているものとする。
【０１７５】
そして、ＰＤＣＣＨ＃Ａには、第２キャリアの送信を示すビットと第３キャリアの送信を示すビットが定義され、ＰＤＣＣＨ＃Ｂには、第１キャリアの送信を示すビットと第３キャリアの送信を示すビットとが定義され、ＰＤＣＣＨ＃Ｃには、第１キャリアの送信を示すビットと第２キャリアの送信を示すビットとが定義されているものとする。
【０１７６】
ここで、かかるビットが「１」である場合に、該キャリアの送信が行われるという意味であり、かかるビットが「０」である場合に、該キャリアの送信が行われないという意味である。
【０１７７】
例えば、図１０に示すように、複数の下りリンク制御信号、すなわち、ＰＤＣＣＨ＃Ａを介して送信された下り制御信号に含まれる情報要素において、第２キャリアの送信に関して「１」が設定され、かつ、第３キャリアの送信に関して「１」が設定され、ＰＤＣＣＨ＃Ｂを介して送信された下り制御信号に含まれる情報要素において、第１キャリアの送信に関して「１」が設定され、第３キャリアの送信に関して「１」が設定され、ＰＤＣＣＨ＃Ｃを介して送信された下り制御信号に含まれる情報要素において、第１キャリアの送信に関して「１」が設定され、第２キャリアの送信に関して「１」が設定されている場合を考える。
【０１７８】
図１０の場合、ＰＤＣＣＨ＃Ａを介して送信された下り制御信号に含まれる情報要素とＰＤＣＣＨ＃Ｂを介して送信された下り制御信号に含まれる情報要素とＰＤＣＣＨ＃Ｃを介して送信された下り制御信号に含まれる情報要素とで矛盾が存在しないため、受信部１３は、ＰＤＣＣＨ＃Ａ及びＰＤＣＣＨ＃Ｂ及びＰＤＣＣＨ＃Ｃを介して送信された下り制御信号に基づいて、複数のキャリア、すなわち、第１キャリア及び第２キャリア及び第３キャリアを用いた下りデータの受信（マルチキャリア受信）を行うことを決定するように構成されていてもよい。
【０１７９】
ここで、例えば、ＰＤＣＣＨ＃Ａ、ＰＤＣＣＨ＃Ｂ、ＰＤＣＣＨ＃Ｃの３つの内、少なくとも１つに関して、自キャリア以外のキャリアに関して「０」が設定されている場合、互いに矛盾が存在するため、受信部１３は、第１キャリア及び第２キャリア及び第３キャリアの全てに関して、下りデータの受信（マルチキャリア受信）を行わないことを決定するように構成されていてもよい。
【０１８０】
例えば、図１１に示すように、複数の下りリンク制御信号、すなわち、ＰＤＣＣＨ＃Ａを介して送信された下り制御信号に含まれる情報要素において、第２キャリアの送信に関して「０」が設定され、かつ、第３キャリアの送信に関して「１」が設定され、ＰＤＣＣＨ＃Ｂが存在せず、ＰＤＣＣＨ＃Ｃを介して送信された下り制御信号に含まれる情報要素において、第１キャリアの送信に関して「１」が設定され、第２キャリアの送信に関して「０」が設定されている場合を考える。
【０１８１】
図１１の場合、ＰＤＣＣＨ＃Ａを介して送信された下り制御信号に含まれる情報要素とＰＤＣＣＨ＃Ｂが存在しないという点とＰＤＣＣＨ＃Ｃを介して送信された下り制御信号に含まれる情報要素とで矛盾が存在しないため、受信部１３は、ＰＤＣＣＨ＃Ａ及びＰＤＣＣＨ＃Ｃを介して送信された下り制御信号に基づいて、複数のキャリア、すなわち、第１キャリア及び第３キャリアを用いた下りデータの受信（マルチキャリア受信）を行うことを決定するように構成されていてもよい。
【０１８２】
ここで、例えば、ＰＤＣＣＨ＃Ａ及びＰＤＣＣＨ＃Ｃにおける、前記情報要素が図１１の値であり、かつ、ＰＤＣＣＨ＃Ｂが存在する場合、互いに矛盾が存在するため、受信部１３は、第１キャリア及び第２キャリア及び第３キャリアの全てに関して、下りデータの受信（マルチキャリア受信）を行わないことを決定するように構成されていてもよい。
【０１８３】
或いは、例えば、ＰＤＣＣＨ＃Ａにおける、第３キャリアの送信の有無に関する情報要素と、ＰＤＣＣＨ＃Ｃにおける、第１キャリアの送信の有無に関する情報要素とが互いに矛盾が存在する場合、受信部１３は、第１キャリア及び第２キャリア及び第３キャリアの全てに関して、下りデータの受信（マルチキャリア受信）を行わないことを決定するように構成されていてもよい。
【０１８４】
例えば、図１２に示すように、複数の下りリンク制御信号、すなわち、ＰＤＣＣＨ＃Ａを介して送信された下り制御信号に含まれる情報要素において、第２キャリアの送信に関して「０」が設定され、かつ、第３キャリアの送信に関して「０」が設定され、ＰＤＣＣＨ＃ＢとＰＤＣＣＨ＃Ｃが存在しない場合を考える。
【０１８５】
図１２の場合、ＰＤＣＣＨ＃Ａを介して送信された下り制御信号に含まれる情報要素とＰＤＣＣＨ＃Ｂ及びＰＤＣＣＨ＃Ｃが存在しないという点とが矛盾しないため、受信部１３は、ＰＤＣＣＨ＃Ａを介して送信された下り制御信号に基づいて、複数のキャリア、すなわち、第１キャリアを用いた下りデータの受信（シングルキャリア受信）を行うことを決定するように構成されていてもよい。
【０１８６】
ここで、例えば、ＰＤＣＣＨ＃Ａにおける、前記情報要素が図Ｘ８の値であり、かつ、ＰＤＣＣＨ＃ＢまたはＰＤＣＣＨ＃Ｃが存在する場合、互いに矛盾が存在するため、受信部１３は、第１キャリア及び第２キャリア及び第３キャリアの全てに関して、下りデータの受信（マルチキャリア受信）を行わないことを決定するように構成されていてもよい。
【０１８７】
なお、上述した例では、自キャリア以外のキャリアに関して、その送信の有無を示すビットが定義されたが、代わりに、自キャリアを含んだキャリアに関して、その送信の有無を示すビットが定義されてもよい。
【０１８８】
この場合、上述した判定に加えて、自キャリアの送信の有無を示すビットが「０」である場合に、矛盾していると判定し、自キャリアの送信の有無を示すビットが「１」である場合に、矛盾していないと判定するといった判定を加えてもよい。
【０１８９】
図１３に示すように、無線基地局ｅＮＢは、制御信号送信部２１と、受信部２２と、送信部２３とを具備している。
【０１９０】
制御信号送信部２１は、上りデータ（具体的には、ＰＵＳＣＨを介して送信される上りデータ）の送信を指示する、或いは、下りデータ（具体的には、ＰＤＳＣＨを介して送信される下りデータ）の送信を通知する１つ又は複数の下り制御信号を送信するように構成されている。
【０１９１】
具体的には、制御信号送信部２１は、ＰＤＣＣＨを介して、下りリンク制御信号として、「上りスケジューリンググラント」や「下りリンクスケジューリング情報」を送信するように構成されていてもよい。
【０１９２】
受信部２２は、移動局ＵＥによって１つ又は複数の下りリンク制御信号に基づいて複数のキャリアを用いて送信された上りデータを受信するように構成されている。
【０１９３】
送信部２３は、移動局ＵＥに対して、上述の複数の下りリンク制御信号によって指定した１つ又は複数のキャリアを用いて下りデータを送信するように構成されている。
【０１９４】
ここで、移動局ＵＥによって送信される上りデータによってＩＭ  ｐｒｏｄｕｃｔｓが発生する可能性があるケースとして、以下の２つのパターンが想定される。
【０１９５】
パターン１は、ＰＤＣＣＨ＃Ａ及びＰＤＣＣＨ＃Ｂの両方において「Ｆａｌｓｅ  Ａｌａｒｍ」が発生し、移動局ＵＥが、かかる「Ｆａｌｓｅ  Ａｌａｒｍ」に基づき第１キャリア及び第２キャリアを用いて上りデータを送信するケースである。
【０１９６】
また、パターン２は、ＰＤＣＣＨ＃Ｂにおいて「Ｆａｌｓｅ  Ａｌａｒｍ」が発生し、移動局ＵＥが、かかる「Ｆａｌｓｅ  Ａｌａｒｍ」に基づいて、第２キャリアを用いて上りデータを送信すると共に、ＰＤＣＣＨ＃Ａを介して受信した正規の下りリンク制御信号（情報要素に「０」が設定されている）に基づいて、第１キャリアを用いて上りデータを送信するケースである。
【０１９７】
本発明の第１の実施形態に係る移動通信システムによれば、パターン１において、ＰＤＣＣＨ＃Ａ及び＃Ｂを介して送信された下り制御信号に含まれる情報要素の両方に「１」が設定されている場合にのみ、「Ｆａｌｓｅ  Ａｌａｒｍ」が発生する可能性があるため、「Ｆａｌｓｅ  Ａｌａｒｍ」の発生確率が「１/（２１６×２１６）×１/４×４０」とかなり小さくなり、ＩＭ  ｐｒｏｄｕｃｔｓが発生する可能性もかなり小さくなる。
【０１９８】
また、本発明の第１の実施形態に係る移動通信システムによれば、パターン２において、ＰＤＣＣＨ＃Ａを介して送信された下り制御信号の受信誤り率を１％とすると、以下のようになる。
【０１９９】
９９％の確率で、移動局ＵＥにおいて、ＰＤＣＣＨ＃Ａを介して下り制御信号受信に成功した場合、図３乃至図６に示した例における、かかる下り制御信号に含まれる情報要素に「０」が設定されているため、ＰＤＣＣＨ＃Ｂにおいて「Ｆａｌｓｅ  Ａｌａｒｍ」が発生しても問題がない。
【０２００】
また、１％の確率で、移動局ＵＥにおいて、ＰＤＣＣＨ＃Ａを介して下り制御信号受信に失敗した場合であっても、ＣＲＣチェックが「ＮＧ」となるだけで、ＰＤＣＣＨ＃Ａにおいて「Ｆａｌｓｅ  Ａｌａｒｍ」は発生しない。
【０２０１】
したがって、本発明の第１の実施形態に係る移動通信システムによれば、パターン２において、ＩＭ  ｐｒｏｄｕｃｔｓが発生しない。
【０２０２】
以上に述べた本実施形態の特徴は、以下のように表現されていてもよい。
【０２０３】
本実施形態の第１の特徴は、移動局ＵＥが、無線基地局ｅＮＢに対して複数のキャリアを用いて上りデータを送信する移動通信方法であって、移動局ＵＥに対して、所定のタイムフレームにおいて複数のキャリアを用いた上りデータの送信の有無を通知する情報要素を含む複数の下りリンク制御信号を用いて、上りデータの送信を指示する工程Ａと、受信した複数の下りリンク制御信号に含まれる情報要素に基づいて、複数のキャリアを用いた上りデータの送信を行うか否かについて決定する工程Ｂとを有することを要旨とする。
【０２０４】
本実施形態の第１の特徴において、工程Ｂにおいて、複数の下りリンク制御信号に含まれる情報要素が、複数のキャリアを用いた上りデータの送信が存在することを示す場合にのみ、かかる複数の下りリンク制御信号に基づいて、複数のキャリアを用いた上りデータの送信を行うことを決定してもよい。
【０２０５】
本実施形態の第１の特徴において、工程Ｂにおいて、複数の下りリンク制御信号の１つに含まれる情報要素が、複数のキャリアを用いた上りデータの送信が存在しないことを示す場合に、かかる複数のキャリアを用いた上りデータの送信が存在しないことを示す情報要素を含む下りリンク制御信号に基づいて、上りデータの送信を行うことを決定してもよい。
【０２０６】
本実施形態の第１の特徴において、工程Ｂにおいて、複数の下りリンク制御信号の少なくとも１つに含まれる情報要素が、前記複数のキャリアを用いた上りデータの送信が存在しないことを示す場合に、かかる複数の下りリンク制御信号の全てに関して、上りデータの送信を行わないことを決定してもよい。
【０２０７】
本実施形態の第１の特徴において、工程Ｂにおいて、複数の下りリンク制御信号の２つ以上に含まれる情報要素が、複数のキャリアを用いた上りデータの送信が存在しないことを示す場合に、かかる複数の下りリンク制御信号の全てに関して、上りデータの送信を行わないことを決定してもよい。
【０２０８】
本実施形態の第２の特徴は、無線基地局ｅＮＢに対して複数のキャリアを用いて上りデータを送信するように構成されている移動局ＵＥであって、無線基地局ｅＮＢから、所定のタイムフレームにおいて複数のキャリアを用いた上りデータの送信の有無を通知する情報要素を含む複数の下りリンク制御信号を受信するように構成されている制御信号受信部１１と、受信した複数の下りリンク制御信号に含まれる情報要素に基づいて、かかる複数のキャリアを用いた上りデータの送信の可否を決定するように構成されている送信部１２とを具備することを要旨とする。
【０２０９】
本実施形態の第２の特徴において、複数の下りリンク制御信号に含まれる情報要素が、複数のキャリアを用いた上りデータの送信が存在することを示す場合にのみ、送信部１２は、かかる複数の下りリンク制御信号に基づいて、複数のキャリアを用いた上りデータの送信を行うことを決定するように構成されていてもよい。
【０２１０】
本実施形態の第２の特徴において、複数の下りリンク制御信号の１つに含まれる情報要素が、複数のキャリアを用いた上りデータの送信が存在しないことを示す場合に、送信部１２は、複数のキャリアを用いた上りデータの送信が存在しないことを示す情報要素を含む下りリンク制御信号に基づいて、上りデータの送信を行うことを決定するように構成されていてもよい。
【０２１１】
本実施形態の第２の特徴において、複数の下りリンク制御信号の少なくとも１つに含まれる前記情報要素が、複数のキャリアを用いた上りデータの送信が存在しないことを示す場合に、送信部１２は、かかる複数の下りリンク制御信号の全てに関して、上りデータの送信を行わないことを決定するように構成されていてもよい。
【０２１２】
本実施形態の第２の特徴において、複数の下りリンク制御信号の２つ以上に含まれる情報要素が、複数のキャリアを用いた上りデータの送信が存在しないことを示す場合に、送信部１２は、かかる複数の下りリンク制御信号の全てに関して、上りデータの送信を行わないことを決定するように構成されていてもよい。
【０２１３】
本実施形態の第３の特徴は、移動局ＵＥから、複数のキャリアを用いて上りデータを受信するように構成されている無線基地局ｅＮＢであって、移動局ＵＥに対して、所定のタイムフレームにおいて複数のキャリアを用いた上りデータの送信の有無を通知する情報要素を含み、かかる複数のキャリアを用いた上りデータの送信を指示する複数の下りリンク制御信号を送信するように構成されている制御信号送信部２１と、移動局ＵＥによって複数の下りリンク制御信号に基づいて複数のキャリアを用いて送信された上りデータを受信するように構成されている受信部２２とを具備することを要旨とする。
【０２１４】
本実施形態の第３の特徴において、前記制御信号送信部は、前記移動局に対して、前記複数のキャリアを用いた上りデータの送信を指示する場合に、前記情報要素が、前記複数のキャリアを用いた上りデータの送信が存在することを示すように設定し、前記移動局に対して、１つのキャリアを用いた上りデータの送信を指示する場合に、前記情報要素が、前記複数のキャリアを用いた上りデータの送信が存在しないことを示すように設定するように構成されていてもよい。
【０２１５】
本実施形態の第４の特徴は、無線基地局ｅＮＢが、移動局ＵＥに対して複数のキャリアを用いて下りデータを送信する移動通信方法であって、移動局ＵＥに対して、所定のタイムフレームにおいて複数のキャリアを用いた下りデータの送信の有無を通知する情報要素を含む複数の下りリンク制御信号を用いて、下りデータの受信を指示する工程Ａと、受信した複数の下りリンク制御信号に含まれる情報要素に基づいて、かかる複数のキャリアを用いた下りデータの受信を行うか否かについて決定する工程Ｂとを有することを要旨とする。
【０２１６】
本実施形態の第４の特徴において、工程Ｂにおいて、複数の下りリンク制御信号に含まれる情報要素が、複数のキャリアを用いた下りデータの送信が存在することを示す場合にのみ、かかる複数の下りリンク制御信号に基づいて、複数のキャリアを用いた下りデータの受信を行うことを決定してもよい。
【０２１７】
本実施形態の第４の特徴において、工程Ｂにおいて、複数の下りリンク制御信号の１つに含まれる情報要素が、複数のキャリアを用いた下りデータの送信が存在しないことを示す場合に、かかる複数のキャリアを用いた下りデータの送信が存在しないことを示す情報要素を含む下りリンク制御信号に基づいて、下りデータの受信を行うことを決定してもよい。
【０２１８】
本実施形態の第４の特徴において、工程Ｂにおいて、複数の下りリンク制御信号の少なくとも１つに含まれる情報要素が、前記複数のキャリアを用いた下りデータの送信が存在しないことを示す場合に、かかる複数の下りリンク制御信号の全てに関して、下りデータの受信を行わないことを決定してもよい。
【０２１９】
本実施形態の第４の特徴において、工程Ｂにおいて、複数の下りリンク制御信号の２つ以上に含まれる情報要素が、複数のキャリアを用いた下りデータの送信が存在しないことを示す場合に、かかる複数の下りリンク制御信号の全てに関して、下りデータの受信を行わないことを決定してもよい。
【０２２０】
本実施形態の第５の特徴は、無線基地局ｅＮＢから、複数のキャリアを用いて下りデータを受信するように構成されている移動局ＵＥであって、無線基地局ｅＮＢから、所定のタイムフレームにおいて複数のキャリアを用いた下りデータの送信の有無を通知する情報要素を含む複数の下りリンク制御信号を受信するように構成されている制御信号受信部１１と、受信した複数の下りリンク制御信号に含まれる情報要素に基づいて、複数のキャリアを用いた下りデータの受信の可否を決定するように構成されている受信部１３とを具備することを要旨とする。
【０２２１】
本実施形態の第５の特徴において、複数の下りリンク制御信号に含まれる情報要素が、複数のキャリアを用いた下りデータの送信が存在することを示す場合にのみ、受信部１３は、かかる複数の下りリンク制御信号に基づいて、複数のキャリアを用いた下りデータの受信を行うことを決定するように構成されていてもよい。
【０２２２】
本実施形態の第５の特徴において、複数の下りリンク制御信号の１つに含まれる情報要素が、複数のキャリアを用いた下りデータの送信が存在しないことを示す場合に、受信部１３は、かかる複数のキャリアを用いた下りデータの送信が存在しないことを示す情報要素を含む下りリンク制御信号に基づいて、下りデータの受信を行うことを決定するように構成されていてもよい。
【０２２３】
本実施形態の第５の特徴において、複数の下りリンク制御信号の少なくとも１つに含まれる情報要素が、複数のキャリアを用いた下りデータの送信が存在しないことを示す場合に、受信部１３は、かかる複数の下りリンク制御信号の全てに関して、下りデータの受信を行わないことを決定するように構成されていてもよい。
【０２２４】
本実施形態の第５の特徴において、複数の下りリンク制御信号の２つ以上に含まれる情報要素が、複数のキャリアを用いた下りデータの送信が存在しないことを示す場合に、受信部１３は、かかる複数の下りリンク制御信号の全てに基づいて、下りデータの受信を行わないことを決定するように構成されていてもよい。
【０２２５】
本実施形態の第６の特徴は、移動局ＵＥに対して、複数のキャリアを用いて下りデータを送信するように構成されている無線基地局ｅＮＢであって、移動局ＵＥに対して、所定のタイムフレームにおいて複数のキャリアを用いた下りデータの送信の有無を通知する情報要素を含み、かかる複数のキャリアを用いた下りデータの受信を指示する複数の下りリンク制御信号を送信するように構成されている制御信号送信部２１と、移動局ＵＥに対して、かかる複数の下りリンク制御信号によって指定した複数のキャリアを用いて下りデータを送信するように構成されている送信部２３とを具備することを要旨とする。
【０２２６】
本実施形態の第５の特徴において、前記制御信号送信部は、前記移動局に対して、前記複数のキャリアを用いた下りデータの送信を通知する場合に、前記情報要素が、前記複数のキャリアを用いた下りデータの送信が存在することを示すように設定し、前記移動局に対して、前記複数のキャリアの内の１つのキャリアを用いた下りデータの送信を通知する場合に、前記情報要素が、前記複数のキャリアを用いた下りデータの送信が存在しないことを示すように設定するように構成されていてもよい。
【０２２７】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０２２８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２２９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０２３０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０２３１】
ＵＥ…移動局
１１…制御信号受信部
１２…送信部
１３…受信部
ｅＮＢ…無線基地局
２１…制御信号送信部
２２…受信部
２３…送信部
【図１】
2011097544.tif 000003
【図２】
2011097544.tif 000004
【図３】
2011097544.tif 000005
【図４】
2011097544.tif 000006
【図５】
2011097544.tif 000007
【図６】
2011097544.tif 000008
【図７】
2011097544.tif 000009
【図８】
2011097544.tif 000010
【図９】
2011097544.tif 000011
【図１０】
2011097544.tif 000012
【図１１】
2011097544.tif 000013
【図１２】
2011097544.tif 000014
【図１３】
2011097544.tif 000015
【図１４】
2011097544.tif 000016
【図１５】
2011097544.tif 000017